(57)【要約】      （修正有）【課題】荷物を安定に浮遊させ、傾いて転倒することを防止する転倒防止浮遊装置を提供し、また、安定に水面の任意場所を移動して浮遊させることができる転倒防止浮遊装置を提供する。【解決手段】少なくとも浮体であって、荷物を搭載する荷台と、前記荷台の下に設置され前記荷台から下に延長して転倒防止浮遊装置の重心を水面下に保たれ前記荷台の安定を維持する柱とを備え、さらに、転倒防止浮遊装置が安定に浮遊する時に、平面が大体水面に垂直となりブラケットによって前記柱の底部に設けられる複数の板からなり、前記板によって水中で発生する反発力で前記荷台の安定を維持するバランサとを備えたことを特徴とする。【選択図】図４
0003119723.tif 000002
【実用新案登録請求の範囲】
【請求項１】
転倒防止浮遊装置であって、少なくとも
浮体であって、荷物を搭載する荷台と、
前記荷台の下に設置され前記荷台から下に延長して転倒防止浮遊装置の重心を水面下に保たれ前記荷台の安定を維持する柱とを備えたことを特徴とする転倒防止浮遊装置。
【請求項２】
転倒防止浮遊装置が安定に浮遊する時に、平面が大体水面に垂直となりブラケットによって前記柱の底部に設けられる複数の板からなり、前記板によって水中で発生する反発力で前記荷台の安定を維持するバランサをさらに備えたことを特徴とする請求項１記載の転倒防止浮遊装置。
【請求項３】
隣同士の前記板は、水平中心線が異なる平面に位置し、対面同士の前記板は、水平中心線が同一平面に位置することを特徴とする請求項２記載の転倒防止浮遊装置。
【請求項４】
転倒防止浮遊装置が安定に浮遊する時に、平面が大体水面に垂直となり、転倒防止浮遊装置の底部から見れば、放射状で前記柱に設けられる複数の板からなり、前記板によって水中に発生する反発力で前記荷台の安定を維持するバランサをさらに備えたことを特徴とする請求項１記載の転倒防止浮遊装置。
【請求項５】
隣同士の前記板は、水平中心線が異なる平面に位置し、柱を挟む板同士は、水平中心線が同一平面に位置することを特徴とする請求項４記載の転倒防止浮遊装置。
【請求項６】
転倒防止浮遊装置であって、少なくとも
浮体であって、荷物を搭載する荷台と、
前記荷台の下に設置され前記荷台から下に延長して転倒防止浮遊装置の重心を水面下に保たれ前記荷台の安定を維持する柱と、
転倒防止浮遊装置が安定に浮遊する時に、平面が大体水面に垂直となりブラケットによって前記柱の底部に設けられる複数の板からなり、前記板によって水中で発生する反発力で前記荷台の安定を維持するバランサとを備えたことを特徴とする転倒防止浮遊装置。
【請求項７】
隣同士の前記板は、水平中心線が異なる平面に位置し、対面同士の前記板は、水平中心線が同一平面に位置することを特徴とする請求項６記載の転倒防止浮遊装置。
【請求項８】
転倒防止浮遊装置であって、少なくとも
浮体であって、荷物を搭載する荷台と、
前記荷台の下に設置され前記荷台から下に延長して転倒防止浮遊装置の重心を水面下に保たれ前記荷台の安定を維持する柱と、
転倒防止浮遊装置が安定に浮遊する時に、平面が大体水面に垂直となり、転倒防止浮遊装置の底部から見れば、放射状で前記柱に設けられる複数の板からなり、前記板によって水中に発生する反発力で前記荷台の安定を維持するバランサとを備えたことを特徴とする転倒防止浮遊装置。
【請求項９】
隣同士の前記板は、水平中心線が異なる平面に位置し、柱を挟む板同士は、水平中心線が同一平面に位置することを特徴とする請求項８記載の転倒防止浮遊装置。
【請求項１０】
前記柱は、前記柱の底部に設けられ転倒防止浮遊装置の重心を安定に水面下に位置させて前記荷台の安定性を増す重りを備えたことを特徴とする請求項１、６、または８に記載の転倒防止浮遊装置。
【考案の詳細な説明】
【技術分野】
【０００１】
本考案は転倒防止浮遊装置であり、特に自由に移動し安定で浮遊することができて、フラットディスプレイ等の設備を搭載する転倒防止浮遊装置に関するものである。
【背景技術】
【０００２】
通常、浮体でないものや水に接触することのできないものを水面上に浮かせる場合は、別の浮体を台として水面に浮かせてから浮かせるものを浮体の上に搭載する。
例えば、プールの中でフラットディスプレイ（例えば液晶ディスプレイ）を観賞する場合は、通常、液晶ディスプレイをプールの側の地面や台に置いて観賞するしかない。しかしながら、液晶ディスプレイがプールの側に定置されるのに対し、観者がプールを自由に移動するため、観者にとって、液晶ディスプレイの観賞距離や角度が制限される。
【０００３】
前記浮体に搭載する浮遊させる方法で液晶ディスプレイを浮体に搭載して水面に浮かせる場合は、単に浮体で液晶ディスプレイを浮遊させるため、全体の重心が不安定で波の力によって傾いて転倒されやすく、安定で浮遊する効果が得られなかった。
浮体を安定に浮かせるため、定置錨を鎖などで浮体の底部に連接して、定置錨を水底に沈ませて浮体と水底との間に一定の距離を保つ、これによって浮体を安定させる先行技術がある。しかしながら、定置錨を水底に沈ませることによって、浮体を設置や回収する毎に定置錨を移動しなければと不便である。また、浮体と水底との間は一定の距離が保たれるため、安定の効果が発揮できますが、浮体の移動範囲が制限され、自由に移動することができない、プールを任意移動する観者にとって観賞距離、角度が制限される。
【考案の開示】
【考案が解決しようとする課題】
【０００４】
本考案は、荷物を安定に浮遊させ、傾いて転倒することを防止する転倒防止浮遊装置を提供する、また、本考案は、安定に水面の任意場所を移動して浮遊させることができる転倒防止浮遊装置を提供することを課題とする。
【課題を解決するための手段】
【０００５】
本考案に係る転倒防止浮遊装置は、少なくとも浮体であって、荷物を搭載する荷台と、前記荷台の下に設置され前記荷台から下に延長して転倒防止浮遊装置の重心を水面下に保たれ前記荷台の安定を維持する柱とを備えたことを特徴とする。
また、転倒防止浮遊装置が安定に浮遊する時に、平面が大体水面に垂直となるブラケットによって前記柱の底部に設けられる複数の板からなり、前記板によって水中で発生する反発力で前記荷台の安定を維持するバランサをさらに備えたことを特徴とする。
【０００６】
また、転倒防止浮遊装置が安定に浮遊する時に、平面が大体水面に垂直となり、転倒防止浮遊装置の底部から見れば、放射状で前記柱に設けられる複数の板からなり、前記板によって水中に発生する反発力で前記荷台の安定を維持するバランサをさらに備えたことを特徴とする。
また、隣同士の前記板は、水平中心線が異なる平面に位置し、対面同士の前記板は、水平中心線が同一平面に位置することを特徴とする。
前記柱は、前記柱の底部に設けられ転倒防止浮遊装置の重心を安定に水面下に位置させて前記荷台の安定性を増す重りを備えたことを特徴とする。
【考案の効果】
【０００７】
本考案によれば、荷物を安定に浮遊させ、傾いて転倒することを防止し、また、安定に水面の任意場所を移動して浮遊させることができる。
【考案を実施するための最良の形態】
【０００８】
以下、本考案に係る実施形態を詳しく説明する。
本考案は転倒防止浮遊装置であって、図１は、本考案に係る転倒防止浮遊装置の好ましい実施形態を示す斜視図である。
【０００９】
図１に示すように、本考案に係る転倒防止浮遊装置は荷台１００と、柱２００からなり、荷台１００は浮体であり、フラットディスプレイ等の設備を荷台１００に搭載して浮遊させる。
柱２００は荷台１００に取付けられ、荷台１００から下に向けて延長し、好ましくは荷台１００に垂直となるように荷台１００下部の中央に取付けられる。
図２に示すように、転倒防止浮遊装置が水面に浮遊する時、荷台１００と水との接する面と柱２００の重心方向の延長線との交差点を支点として、水面下の柱２００と水面上の荷物９００が互いに対抗するモーメントになる。荷台１００に搭載される荷物９００の重量と荷台１００が提供する浮力に合わせて柱２００の長さや重量を変えて、または柱２００の底部に重り２１０を設けることによって、常に水面下の柱２００側のモーメントを水面上の荷物９００のモーメントより大きくさせ、転倒防止浮遊装置全体の重心を水面下に位置させて、転倒防止浮遊装置の安定を維持する。
【００１０】
本考案に係る転倒防止浮遊装置は、さらに柱２００の下にバランサ３００が取り付けられる。バランサ３００は複数の板３１０からなり、複数の板３１０が対称的に設置され、好ましくは図２に示すように、形状、面積が同一の四枚の板３１０が設置される。
【００１１】
板３１０はブラケット３２０で柱２００に取り付けられ、転倒防止浮遊装置が安定に浮遊する時に、板３１０の平面は大体水面に垂直となる。図３に示すように、転倒防止浮遊装置の底から見れば、ブラケット３２０は片側が板３１０の中心に垂直に取り付けられ、反対側が柱２００に取り付けられ、十字のように構成される。複数の板３１０の延長線は 矩形を形成することが好ましく、さらに好ましくは正方形を形成する。隣同士の板３１０の水平中心線Ｉ’は異なる平面に位置し、対面同士の板３１０の水平中心線Ｉ’は同一平面に位置する（図１を参照）。
【００１２】
前記柱２００によって転倒防止浮遊装置の重心を水面下に位置させ、転倒防止浮遊装置の安定を維持する方法の他、バランサ３００によって転倒を防止する効果を発揮する方法もある。水面上の荷物９００が外力を受ける場合は、水面下の板３１０は水の抵抗によって反発力が発生する、この反発力によって水面上の荷物９００が受ける外力と釣合して、転倒防止浮遊装置の安定を維持する。図４に示すのは本考案に係る転倒防止浮遊装置の使用状態の斜視図である。
【００１３】
また、本考案は多様の応用実施ができる。例えば、図に示す荷台１００は長方形の形状であるが、実際の需要に応じて形を自由に変えてもよい。柱２００が荷台１００に垂直であることも限定されなく、転倒防止浮遊装置の水面下のモーメントを水面上のモーメントより大きくすれば、柱２００は多様の形態を実施することができる。図５に示すように、本考案はさらに柱２００の底部にバランサ５００が取り付けられる。バランサ５００は複数の板５１０からなり、好ましくは形状、面積が同一の二枚の板５１０からなる、転倒防止浮遊装置が安定に浮遊する時に、板５１０の平面は大体水面に垂直する。転倒防止浮遊装置の底部から見れば（図示せず）、板５１０が十字状に交差して放射状で柱２００の底部に配置される。
【００１４】
前記バランサ３００と同じように、板５１０によって発生する反発力で安定を維持する。隣同士の板５１０は、水平中心線が異なる平面に位置し、柱２００を挟む板５１０同士は、水平中心線が同一平面に位置する。図６に示すように、水中の水の流れが二方向のみに限らないため、バランサ３００はさらに複数の板３１０からなり、板３１０は転倒防止浮遊装置が安定に浮遊する時に、平面が大体水面に垂直となり、複数のブラケット３２０によって柱２００に取り付けられる。複数の板３１０によって発生する反発力で安定を維持する。隣同士の板３１０は、水平中心線が異なる平面に位置し、対面同士の板３１０は、水平中心線が同一平面に位置する（図示せず）。バランサ５００も同じように、さらに複数の板５１０からなり、板５１０は転倒防止浮遊装置が安定に浮遊する時に、平面が大体水面に垂直となり、転倒防止浮遊装置の底部から見れば、放射状で柱２００に配置される（図示せず）。複数の板５１０によって発生する反発力で安定を維持する。このような応用実施形態も本考案の登録請求範囲に含むと考えるべきである。
【図面の簡単な説明】
【００１５】
【図１】本考案に係る転倒防止浮遊装置を示す斜視図である。
【図２】本考案に係る転倒防止浮遊装置を示す側面図である。
【図３】本考案に係る転倒防止浮遊装置を示す底面図である。
【図４】本考案に係る転倒防止浮遊装置の使用状態を示す斜視図である。
【図５】本考案に係る転倒防止浮遊装置の実施形態を示す斜視図である。
【図６】本考案に係る転倒防止浮遊装置のもう一つ実施形態を示す底面図である。
【符号の説明】
【００１６】
１００…荷台
２００…柱
２１０…重り
３００…バランサ
３１０…板
３２０…ブラケット
５００…バランサ
５１０…板
９００…荷物
【図１】
0003119723.tif 000003
【図２】
0003119723.tif 000004
【図３】
0003119723.tif 000005
【図４】
0003119723.tif 000006
【図５】
0003119723.tif 000007
【図６】
0003119723.tif 000008